(57)【要約】      （修正有）【課題】上下一体型の衣服として簡便に扱えるようにしながら、排便の際の利便性も得られるようにし、また被介護者のための被服としてもその取り扱いの簡便化を図れるようにした上下一体型衣服を提供する。【解決手段】上衣部分１の下部とスラックス部分２の上部とが、身体の腰部前面対応部分３のみで一体に結合されており、身体の背面に沿う要部で上衣部分１の下縁部とスラックス部分２の上縁部とが面ファスナーなどにより離接可能に接続されるので、排便に際しては面ファスナーを開放するだけですみ、操作が容易になる。また、首回り縁部１ａの両側部からスラックス部分２の脚部下端の終端部７に到る２条のチャック式離接部８，８が設けられると、この衣服前面を開放して被介護者や幼児の着せ換えが容易に行われる。【選択図】図３
0003110399.tif 000002
【実用新案登録請求の範囲】
【請求項１】
身体の腰部から上方の首回り部分まで覆うための上衣部分と、身体の腰部および両脚部をそれぞれ覆うためのスラックス部分とをそなえ、上記上衣部分の下部と上記スラックス部分の上部とが身体の前面対応部分のみで一体に結合されるとともに、身体の両側面および背面に沿う部分では少なくとも要部において上記上衣部分の下縁部と上記スラックス部分の上縁部とが離接可能に接続されていることを特徴とする、上下一体型衣服。
【請求項２】
上記の上衣部分およびスラックス部分において、上記上衣部分における首回り縁部の両側から同上衣部分の下部両側および上記スラックス部分の上部両側を経由し、上記両脚部の各前面の下端よりもやや上方に設定された終端部にまで到る２条のチャック式離接部が設けられていることを特徴とする、請求項１に記載の上下一体型衣服。
【考案の詳細な説明】
【技術分野】
【０００１】
本考案は、作業服や被介護者用衣服などに用いられる上下一体型の衣服に関する。
【背景技術】
【０００２】
従来の上下一体型の衣服では、上下方向に延在するボタン式離接部またはチャック式離接部（スライドファスナー式離接部）を設けることにより、着衣または脱衣の操作が行われるようになっていて、上下一体型の衣服として簡便に扱える利点が得られるようになっている。
しかしながら、上述のような従来の上下一体型衣服では、排便の際に臀部を露出するためには、少なくとも下半身について脱衣状態にしなければならず、めんどうな操作を必要とするという不具合がある。
【特許文献１】特開平１０−２０４７０９号公報
【考案の開示】
【考案が解決しようとする課題】
【０００３】
本考案は、上下一体型の衣服として簡便に扱えるようにしながら、排便の際の利便性も得られるようにし、また被介護者のための衣服としても、その取り扱いの簡便化を図れるようにした上下一体型衣服を提供することを課題とする。
【課題を解決するための手段】
【０００４】
前述の課題を解決するため、本考案の上下一体型衣服は、身体の腰部から上方の首回り部分まで覆うための上衣部分と、身体の腰部および両脚部をそれぞれ覆うためのスラックス部分とをそなえ、上記上衣部分の下部と上記スラックス部分の上部とが身体の前面対応部分のみで一体に結合されるとともに、身体の両側面および背面に沿う部分では少なくとも要部において上記上衣部分の下縁部と上記スラックス部分の上縁部とが離接可能に接続されていることを特徴としている。
【０００５】
また、本考案の上下一体型衣服は、上記の上衣部分およびスラックス部分において、上記上衣部分における首回り縁部の両側から同上衣部分の下部両側および上記スラックス部分の上部両側を経由し、上記両脚部の各前面の下端よりもやや上方に設定された終端部にまで到る２条のチャック式離接部が設けられていることを特徴としている。
【考案の効果】
【０００６】
上述の本考案の上下一体型衣服では、上記上衣部分の下部と上記スラックス部分の上部とが身体の前面対応部分のみで一体に結合されているので、上下一体型の衣服としての利便性が保たれ、しかも身体の両側面および背面に沿う部分では少なくとも要部において上記上衣部分の下縁部と上記スラックス部分の上縁部とが面ファスナーまたはチャックなどにより離接可能に接続されているので、着衣状態での排便の際には上記面ファスナーの開放操作により上記の上衣部分とスラックス部分との間が着衣者の臀部を十分に露出させるように大きく開かれようになり、着衣状態での排便の際の利便性が著しく高められる。
【０００７】
また、排便後に着衣を整える際も、上記の上衣部分とスラックス部分とは上記前面対応部分で結合されたままになっているので、単に上記面ファスナーまたはチャックなどを操作するだけで上記の上衣部分とスラックス部分との結合が簡便に行われるようになる。
【０００８】
さらに、上記の上衣部分とスラックス部分において、上記上衣部分の首回り縁部の両側から同上衣部分の下部両側および上記スラックス部分の上部両側を経由し両脚部の各前面の下端よりもやや上方に設定された終端部にまで到る２条のチャック式離接部が設けられていると、被介護者に対し、この上下一体型衣服を着せる際に、上記２条のチャック式離接部を開放状態として、各チャック式離接部の相互間の衣服部分をまとめることにより、被介護者の背面を、この衣服の対応部分に容易にあてがうことが可能になる。
【０００９】
ついで、上記衣服部分を展張して被介護者の前面にあてがうとともに、左右の足首部分を上記スラックス部分の各脚部下端部内へ挿通してから、上記２条のチャック式離接部を閉鎖状態とすることにより、被介護者に対する着衣操作が著しく簡便に且つ迅速に行えるようになる。
【考案を実施するための最良の形態】
【００１０】
前記２条のチャック式離接部の各上端部では、上衣部分の首回り縁部との間において面ファスナーによる着脱部分を介在させることが望ましい。
【実施例１】
【００１１】
図１は本考案の実施例１としての上下一体型衣服を示す正面図、図２は上記上下一体型衣服の背面図である。
図１，２に示すように、この上下一体型衣服は、身体の腰部から上方の首回り部分まで覆うための上衣部分１と、身体の腰部および両脚部をそれぞれ覆うためのスラックス部分２とをそなえており、上衣部分１の下部とスラックス部分２の上部とは身体の腰部前面対応部分３のみで一体に結合されている。
【００１２】
そして、上衣部分１とスラックス部分２とは、身体の腰部側面対応部分４，４および身体の背面対応部分５では少なくとも要部（本実施例では背面対応部分５）において上衣部分１の下縁部とスラックス部分２の上縁部とが面ファスナー（またはチャック）６により離接可能に接続されている。
【００１３】
上述の実施例１の上下一体型衣服では、上衣部分１の下部とスラックス部分２の上部とが身体の腰部前面対応部分３のみで一体に結合されているので、上下一体型の衣服としての利便性が保たれ、しかも身体の両側面に沿う部分４および背面に沿う部分５では少なくとも要部（本実施例では身体の背面に沿う部分５）において上衣部分１の下縁部とスラックス部分２の上縁部とが面ファスナー（またはチャック）６により離接可能に接続されているので、着衣状態での排便の際には面ファスナー（またはチャック）６の開放操作により上衣部分１とスラックス部分２との間が着衣者の臀部を十分に露出させるように大きく開かれようになり、着衣状態での排便の際の利便性が著しく高められる。
【００１４】
また、排便後に着衣を整える際も、上衣部分１とスラックス部分２とは前面対応部分３で一体に結合されたままになっているので、単に面ファスナー（またはチャック）６を操作するだけで上衣部分１とスラックス部分２との結合が簡便に行われるようになる。
【実施例２】
【００１５】
図３は本考案の実施例２としての上下一体型衣服を示す正面図、図４は上記上下一体型衣服の背面図である。
図３，４に示すように、この実施例２の場合も、上下一体型衣服が、身体の腰部から上方の首回り部分まで覆うための上衣部分１と、身体の腰部および両脚部をそれぞれ覆うためのスラックス部分２とをそなえており、上衣部分１の下部とスラックス部分２の上部とは身体の腰部前面対応部分３のみで一体に結合されている。
【００１６】
そして、上衣部分１とスラックス部分２とは、身体の腰部側面対応部分４，４および身体の背面対応部分５では少なくとも要部（本実施例では背面対応部分５）において上衣部分１の下縁部とスラックス部分２の上縁部とが面ファスナー（またはチャック）６により離接可能に接続されている。
【００１７】
この実施例２では、特に上衣部分１およびスラックス部分２において、上衣部分１における首回り縁部１ａの両側から同上衣部分１の下部両側およびスラックス部分２の上部両側を経由し、両脚部２ａ，２ａの各前面の下端よりもやや上方に設定された終端部７，７にまで到る２条のチャック式離接部８，８が設けられている。
なお、本実施例では、各チャック式離接部８の上端部と首回り縁部１ａとの間に面ファスナー10が介設されているが、面ファスナー10を省略して、各チャック式離接部８を首回り縁部１ａまで到達させるように設けてもよい。
【００１８】
上述のように構成された実施例２の上下一体型衣服では、前述の実施例１の上下一体型衣服と同様に、上衣部分１の下部とスラックス部分２の上部とが身体の腰部前面対応部分３のみで一体に結合されているので、上下一体型の衣服としての利便性が保たれ、しかも身体の両側面に沿う部分４および背面に沿う部分５では少なくとも要部において上衣部分１の下縁部とスラックス部分２の上縁部とが面ファスナー６により離接可能に接続されているので、着衣状態での排便の際には面ファスナー６の開放操作により上衣部分１とスラックス部分２との間が着衣者の臀部を十分に露出させるように大きく開かれようになり、着衣状態での排便の際の利便性が著しく高められる。
【００１９】
また、排便後に着衣を整える際も、実施例１の場合と同様に、面ファスナー６の操作により上衣部分１とスラックス部分２との結合が簡便に行われるようになる。
【００２０】
この実施例２では、さらに、上衣部分１とスラックス部分２において、上衣部分１の首回り縁部１ａの両側から同上衣部分１の下部両側およびスラックス部分２の上部両側を経由し両脚部２ａ，２ａの各前面の下端よりもやや上方に設定された終端部７，７にまで到る２条のチャック式離接部８，８が設けられているので、被介護者に対し、この上下一体型衣服を着せる際に、２条のチャック式離接部８，８および面ファスナー10を開放状態として、各チャック式離接部８，８の相互間の衣服部分９をまとめることにより、被介護者の背面を、この衣服の対応部分に容易にあてがうことが可能になる。
【００２１】
ついで、離接部相互間の衣服部分９を展張して被介護者の前面にあてがうとともに、左右の足首部分をスラックス部分２の各脚部２ａの下端部２ｂ内へ挿通してから、２条のチャック式離接部８，８を閉鎖状態とすることにより、被介護者に対する着衣操作が著しく簡便に且つ迅速に行えるようになる。
【産業上の利用可能性】
【００２２】
本考案の上下一体型衣服は、作業服や被介護者用衣服として用いられるほか、二輪車のライダー用衣服としても利用することができる。さらに、本考案の上下一体型衣服は、乳幼児用衣服として用いることにより、おしめの交換が容易になる利点も得られる。
【図面の簡単な説明】
【００２３】
【図１】本考案の実施例１としての上下一体型衣服を示す正面図である。
【図２】図１の上下一体型衣服の背面図である。
【図３】本考案の実施例２としての上下一体型衣服を示す正面図である。
【図４】図３の上下一体型衣服の背面図である。
【符号の説明】
【００２４】
１  上衣部分
１ａ  首回り縁部
２  スラックス部分
２ａ  脚部
２ｂ  脚部下端部
３  腰部前面対応部分
４  腰部側面対応部分
５  背面対応部分（要部）
６  面ファスナー
７  終端部
８  チャック式離接部
９  離接部相互間衣服部分
10  面ファスナー
【図１】
0003110399.tif 000003
【図２】
0003110399.tif 000004
【図３】
0003110399.tif 000005
【図４】
0003110399.tif 000006